(57)【要約】【課題】食品に貼り付けられた無線タグと通信を行うためのアンテナの送受信部を一つにすることができ、主制御部からの制御も容易にすることができる冷蔵庫を提供する。【解決手段】冷蔵室１４の内部に冷蔵室用アンテナ２６を設け、それ以外の部屋の引出し式扉の前面にアンテナ２８〜３４を設け、これらアンテナを扉開閉検出部４６〜５４の検出状態によってアンテナ切替部２４が切替え、食品３８の無線タグ４０から無線タグ情報を受信する。【選択図】      図１
2006064293.tif 000002
【特許請求の範囲】
【請求項１】
複数の貯蔵室と、
前記複数の貯蔵室をそれぞれ開閉する扉と、
前記各扉の開閉をそれぞれ検知する扉開閉検知手段と、
食品に設けられた無線タグと通信するためのアンテナと、
前記アンテナから前記無線タグに記憶されている無線タグ情報を送受信する一つの送受信手段とを有する冷蔵庫において、
前記アンテナが前記複数の貯蔵室に対応して複数配され、
前記複数のアンテナと前記送受信手段との間にアンテナ切替手段が設けられ、
前記扉開閉検知手段が開状態を検知した扉の貯蔵室に対応するアンテナから無線タグ情報を前記送受信手段によって受信ができるように、前記アンテナ切替手段を切り替える制御手段が設けられた
ことを特徴とする冷蔵庫。
【請求項２】
前記複数の貯蔵室の一つが冷蔵室であり、前記冷蔵室の内部に冷蔵室用のアンテナが設けられ、
前記冷蔵室以外の貯蔵室については前記貯蔵室の扉に貯蔵室用のアンテナがそれぞれ設けられ、
前記制御手段は、前記扉開閉検知手段が開状態を検知した扉の前記冷蔵室、または、前記貯蔵室に対応するアンテナから無線タグ情報を前記送受信手段によって受信ができるように、前記アンテナ切替手段を切り替える
ことを特徴とする請求項１記載の冷蔵庫。
【請求項３】
前記複数の貯蔵室の一つが冷蔵室であり、前記冷蔵室の内部に冷蔵室用アンテナが設けられ、
前記冷蔵室の外側に外側アンテナが１個設けられ、
前記制御手段は、前記扉開閉検知手段が前記冷蔵室の扉の開状態を検知したときに前記冷蔵室用アンテナから無線タグ情報を前記送受信手段によって受信し、前記扉開閉検知手段が前記冷蔵室の扉以外の貯蔵室の扉の開状態を検知したときに前記外側アンテナから無線タグ情報を前記送受信手段によって受信ができるように、前記アンテナ切替手段を切り替える
ことを特徴とする請求項１記載の冷蔵庫。
【請求項４】
前記制御手段は、前記無線タグ情報を送受信するアンテナのみ電源をＯＮ状態とし、他のアンテナの電源をＯＦＦ状態とする
ことを特徴とする請求項１記載の冷蔵庫。
【請求項５】
前記制御手段は、前記無線タグ情報を受信したときに、この無線タグ情報と共に前記扉開閉検知手段が検知した扉に対応する貯蔵室の部屋データを付加して記憶する
ことを特徴とする請求項１記載の冷蔵庫。
【請求項６】
前記制御手段は、前記無線タグ情報を受信したときに、この無線タグ情報を前記冷蔵庫の外部のサーバに転送する転送手段を有する
ことを特徴とする請求項１記載の冷蔵庫。
【請求項７】
前記無線タグ情報には前記食品の識別を行える食品識別情報が含まれ、前記無線タグ情報を受信したときに、前記食品識別情報に対応する食品情報を食品情報データベースから取得する食品情報取得手段を有する
ことを特徴とする請求項１記載の冷蔵庫。
【請求項８】
前記アンテナが前記冷蔵庫の外部に配され、
前記制御手段は、前記食品の無線タグに記憶された無線タグ情報を更新するための書き込みモードにおいては、前記アンテナ切替手段を切り替えて前記外部に配されたアンテナから前記無線タグ情報へ更新情報を送信する
ことを特徴とする請求項３記載の冷蔵庫。
【発明の詳細な説明】
【技術分野】
【０００１】
本発明は、無線タグが設けられた食品を収納し管理することができる冷蔵庫に関するものである。
【背景技術】
【０００２】
最近、無線タグの技術が進歩し、この無線タグを貼り付けた食品を収納し管理することができる家庭用の冷蔵庫が提案されている（例えば、特許文献１参照）。
【０００３】
このような冷蔵庫は、食品に貼り付けられた無線タグからの電波を送受信するために複数のアンテナと、これらアンテナを用いて無線タグ情報を送受信するための送受信部と、この送受信部を制御するための主制御部が設けられている。
【特許文献１】特開２００２−８１８４８公報
【発明の開示】
【発明が解決しようとする課題】
【０００４】
上記のように冷蔵庫に複数のアンテナを設けた場合には、各アンテナ毎に送受信部が設けられ、また、主制御部はこれら複数の送受信部と通信を行うために複数の通信ポートが必要となり、さらに送受信部を制御するための制御方法も複雑になるという問題点がある。また、送受信部を複数必要とするためコストが増大するという問題点がある。
【０００５】
そこで、本発明は上記問題点に鑑み、食品に貼り付けられた無線タグと通信を行うためのアンテナの送受信部を一つにすることができ、主制御部からの制御も容易にすることができる冷蔵庫を提供する。
【課題を解決するための手段】
【０００６】
請求項１に係る発明は、複数の貯蔵室と、前記複数の貯蔵室をそれぞれ開閉する扉と、前記各扉の開閉をそれぞれ検知する扉開閉検知手段と、食品に設けられた無線タグと通信するためのアンテナと、前記アンテナから前記無線タグに記憶されている無線タグ情報を送受信する一つの送受信手段とを有する冷蔵庫において、前記アンテナが前記複数の貯蔵室に対応して複数配され、前記複数のアンテナと前記送受信手段との間にアンテナ切替手段が設けられ、前記扉開閉検知手段が開状態を検知した扉の貯蔵室に対応するアンテナから無線タグ情報を前記送受信手段によって受信ができるように、前記アンテナ切替手段を切り替える制御手段が設けられたことを特徴とする冷蔵庫である。
【０００７】
請求項２に係る発明は、前記複数の貯蔵室の一つが冷蔵室であり、前記冷蔵室の内部に冷蔵室用のアンテナが設けられ、前記冷蔵室以外の貯蔵室については前記貯蔵室の扉に貯蔵室用のアンテナがそれぞれ設けられ、前記制御手段は、前記扉開閉検知手段が開状態を検知した扉の前記冷蔵室、または、前記貯蔵室に対応するアンテナから無線タグ情報を前記送受信手段によって受信ができるように、前記アンテナ切替手段を切り替えることを特徴とする請求項１記載の冷蔵庫である。
【０００８】
請求項３に係る発明は、前記複数の貯蔵室の一つが冷蔵室であり、前記冷蔵室の内部に冷蔵室用アンテナが設けられ、前記冷蔵室の外側に外側アンテナが１個設けられ、前記制御手段は、前記扉開閉検知手段が前記冷蔵室の扉の開状態を検知したときに前記冷蔵室用アンテナから無線タグ情報を前記送受信手段によって受信し、前記扉開閉検知手段が前記冷蔵室の扉以外の貯蔵室の扉の開状態を検知したときに前記外側アンテナから無線タグ情報を前記送受信手段によって受信ができるように、前記アンテナ切替手段を切り替えることを特徴とする請求項１記載の冷蔵庫である。
【０００９】
請求項４に係る発明は、前記制御手段は、前記無線タグ情報を送受信するアンテナのみ電源をＯＮ状態とし、他のアンテナの電源をＯＦＦ状態とすることを特徴とする請求項１記載の冷蔵庫である。
【００１０】
請求項５に係る発明は、前記制御手段は、前記無線タグ情報を受信したときに、この無線タグ情報と共に前記扉開閉検知手段が検知した扉に対応する貯蔵室の部屋データを付加して記憶することを特徴とする請求項１記載の冷蔵庫である。
【００１１】
請求項６に係る発明は、前記制御手段は、前記無線タグ情報を受信したときに、この無線タグ情報を前記冷蔵庫の外部のサーバに転送する転送手段を有することを特徴とする請求項１記載の冷蔵庫である。
【００１２】
請求項７に係る発明は、前記無線タグ情報には前記食品の識別を行える食品識別情報が含まれ、前記無線タグ情報を受信したときに、前記食品識別情報に対応する食品情報を食品情報データベースから取得する食品情報取得手段を有することを特徴とする請求項１記載の冷蔵庫である。
【００１３】
請求項８に係る発明は、前記アンテナが前記冷蔵庫の外部に配され、前記制御手段は、前記食品の無線タグに記憶された無線タグ情報を更新するための書き込みモードにおいては、前記アンテナ切替手段を切り替えて前記外部に配されたアンテナから前記無線タグ情報へ更新情報を送信することを特徴とする請求項３記載の冷蔵庫である。
【発明の効果】
【００１４】
請求項１に係る発明の冷蔵庫においては、アンテナが複数存在しても、アンテナ切替手段によって一つの送受信部と接続されるため、送受信手段を一つにすることができ、その制御も容易にすることができる。また、扉開閉検知手段が開状態を検知した扉の貯蔵室に対応するアンテナからのみ無線タグ情報を受信するため、確実に無線タグ情報を受信することができる。
【００１５】
請求項２に係る発明の冷蔵庫においては、制御手段は、扉開閉手段が開状態を検知した扉の冷蔵室または貯蔵室に対応するアンテナから無線タグ情報を送受信手段によって受信できるようにアンテナ切替手段を切替えるため、どの貯蔵室または冷蔵室に食品が収納されたかを判別することができると共に、収納されるアンテナを用いて無線タグ情報を送受信するため確実に無線タグ情報を受信することができる。
【００１６】
請求項３に係る発明の冷蔵庫においては、冷蔵室用アンテナによって冷蔵室に収納された食品の無線タグ情報を受信することができ、冷蔵室以外に収納される食品の無線タグ情報は外側アンテナによって無線タグ情報を受信することができる。その場合に、扉開閉検知手段によって扉の開状態が検知された貯蔵室に食品が収納されたことが明らかであるので、どの貯蔵室に食品が収納されたかは、この情報によって判別することができる。
【００１７】
請求項４に係る発明の冷蔵庫においては、無線タグ情報を送受信するアンテナのみ電源をＯＮ状態とし、他の電源のアンテナをＯＦＦ状態とするため省エネルギーとなる。
【００１８】
請求項５に係る発明の冷蔵庫においては、食品が収納された貯蔵室の部屋データも付加して記憶するため、食品の管理を行いやすい。
【００１９】
請求項６に係る発明の冷蔵庫においては、無線タグ情報を受信したときに冷蔵庫の外部のサーバに転送手段が転送するため、冷蔵庫に設けられている制御手段の記憶部の容量を小さくすることができる。すなわち、無線タグ情報を外部のサーバへ転送した後に、この制御手段に有る記憶部を初期化することにより、新たな無線タグ情報を記憶することができる。
【００２０】
請求項７に係る発明の冷蔵庫であると、無線タグ情報には食品の識別を行える簡単な食品識別情報のみが含まれている場合であっても、食品情報データベースから食品識別情報に対応する食品情報を食品情報取得手段が取得することにより、冷蔵庫における制御手段の記憶部には容量の小さい食品識別情報のみを記憶し、その他の必要な食品名、製造者等の食品情報を外部のサーバから呼び出すことにより、制御手段の記憶部の容量を小さくすることができ、かつ、細かな管理もすることができる。
【００２１】
請求項８に係る発明の冷蔵庫においては、食品に設けられた無線タグの無線タグ情報を更新する場合には、書き込みモードにおいて、アンテナ切替手段が外部に配されたアンテナから更新情報を送信することにより、確実に更新を行うことができると共に、アンテナの切替えにより、他のアンテナから通信を行うことなく、省エネルギーとなる。
【発明を実施するための最良の形態】
【００２２】
（第１の実施形態）
本発明の第１の実施形態の冷蔵庫１０について図１〜図３に基づいて説明する。
【００２３】
（１）冷蔵庫１０の構造
図１に基づいて冷蔵庫１０の構造について説明する。
【００２４】
本実施形態の冷蔵庫１０は、食品３８に貼り付けられた無線タグ４０に記憶されている無線タグ情報を読み取り管理することができる。
【００２５】
冷蔵庫１０のキャビネット１２には上段から冷蔵室１４、製氷室１６、野菜室１８が配され、製氷室１６の右側には切替室２０が設けられている。冷蔵室１４には、ヒンジ式の扉１４ａが設けられ、製氷室１６、野菜室１８、切替室２０にはそれぞれ引出し式の扉１６ａ，１８ａ，２０ａが設けられている。
【００２６】
キャビネット１２の天井面にはタグ情報送受信部２２が配され、その近傍にアンテナ切替部２４が設けられている。
【００２７】
冷蔵室１４の内部の左側壁には、冷蔵室用アンテナ２６が設けられている。また、扉１４ａ，１５ａ，１６ａ，１８ａ，２０ａ前面には野菜室用アンテナ２８，製氷室用アンテナ３０，冷凍室用アンテナ３２，切替室用アンテナ３４が設けられている。アンテナ切替部２４と、これらアンテナ２６，２８，３０，３２，３４とは接続ケーブル３６で接続されている。
【００２８】
（２）冷蔵庫１０の電気的構成
次に、図２のブロック図に基づいて冷蔵庫１０の電気的な構成について説明する。
【００２９】
冷蔵庫１０の主制御部４２には、タグ情報送受信部２２、アンテナ切替部２４、庫内情報記憶部４４が接続されている。また、各扉１４ａ，１５ａ，１６ａ，１８ａ、２０ａの開閉状態をそれぞれ検出することができる扉開閉検出部４６，４８，５０，５２，５４も接続されている。さらに、通信部５５を介して家の中に張り巡らされている宅内ネットワーク７０、インターネット７２を介して外部に設けられている庫内情報管理サーバ５６に接続することができる。この庫内情報管理サーバ５６は食品情報データベース５８を有している。通信部５５は、ユーザーが住宅の中において、また、外部において携帯端末６０と通信することも可能である。
【００３０】
（３）冷蔵庫１０の動作状態
次に、図３のフローチャートに基づいて、無線タグ４０が貼り付けられた食品３８を冷蔵庫１０から出し入れする場合について説明する。
【００３１】
ステップ１において、冷蔵室１４の扉１４ａが開いているか否かを判断して、開いていればステップ２に進み、閉じていればステップ５に進む。
【００３２】
ステップ２において、主制御部４２は、アンテナ切替部２４によって冷蔵室用アンテナ２６に切替え、ステップ３において、部屋データに「冷蔵室」とセットする。この部屋データとは、食品がどの場所から出し入れされたかを判別するためのデータである。そしてステップ４に進み、無線タグ動作を開始し、食品３８の無線タグ４０が通過するのを待つ状態となる。
【００３３】
ステップ５において、冷蔵室１４の扉１４ａが閉じていると判断され、他の引出し式扉が開いているか否かを検知し、開いていればステップ６に進む。そして、開いていなければステップ７に進む。
【００３４】
ステップ７においては、どの扉も開いていない状態であるため主制御部４２は、無線タグ動作を停止し、冷蔵庫１０にある庫内情報記憶部４４にデータが残っているか否かを判断する。そして、残っていればステップ９において、庫内情報管理サーバ５６に通信部５５を介してその残っているデータを転送し、庫内情報記憶部４４を初期化し終了する。また、ステップ８において庫内情報記憶部４４にデータが残っていなければそのまま終了する。これによって、常に主制御部４２は、データを庫内情報管理サーバ５６に送り、庫内情報記憶部４４は初期化するため、庫内情報記憶部４４の容量を大きな容量にすることなく、小さな容量で無線タグ情報を管理することができる。
【００３５】
ステップ５において、引出し式の扉が開いていると判断された場合には、ステップ６において野菜室１５の扉１５ａが開いているか否かを判断して、開いていればステップ１０に進み、閉じていればステップ１２に進む。ステップ１０において、野菜室１５の扉が開いているため部屋データに「野菜室」とセットし、ステップ１１において野菜室用アンテナ２８に接続し、ステップ４における無線タグ動作開始状態に進む。
【００３６】
ステップ１２において、製氷室１６の扉が開いているか否かを判断して、開いていればステップ１３に進み、閉じていればステップ１５に進む。ステップ１３において、製氷室１６の扉１６ａが開いていると判断されたため、部屋データに「製氷室」とセットし、ステップ１４において製氷用アンテナ３０に接続し、ステップ４の無線タグ動作開始状態に進む。
【００３７】
ステップ１５において、切替室２０の扉２０ａが開いているか否かを判断し開いていればステップ１６に進み、閉じていればステップ１８に進む。ステップ１６において、切替室２０の扉２０ａが開いていると判断されたため部屋データに「切替室」とセットし、ステップ１７において切替室アンテナ３４に接続し、ステップ４の無線タグ動作開始状態に進む。
【００３８】
ステップ１８において、冷凍室１８の扉１８ａ以外は全て閉じていると判断されたため、部屋データに「冷凍室」とセットし、ステップ１９において冷凍室アンテナ３２を接続する。そして、ステップ４における無線タグ動作開始状態に進む。
【００３９】
ステップ４において、無線タグ動作開始状態を続けて、ステップ２０に進む。ステップ２０において、食品３８が通過したか否かを判断し、所定時間経過しても食品３８が通過しない場合には終了する。食品３８が通過した場合には、食品３８の無線タグ４０からの無線タグ情報をタグ情報送受信部２２によって読み込み（ステップ２１）、前記セットした部屋データ及び読み込んだ食品データを庫内情報記憶部４４にセットして（ステップ２２）、終了する。
【００４０】
なお、食品３８の出し入れにおいて、食品３８が冷蔵庫１０から出しているときか入れるときかの判断は、食品３８が奇数回通過している場合には冷蔵庫１０に入れている状態であり、偶数回通過した場合には冷蔵庫１０から出している状態と判断する。
【００４１】
以上により、複数のアンテナが存在してもアンテナ切替部２４によって切り替えることにより、タグ情報送受信部２２は１個有るだけでよく、主制御部４２は、１個のタグ情報送受信部２２を制御すればよい。また、扉の開閉によりどの部屋に食品３８が収納されたかを判別し、部屋データと共に食品データを記憶させるため、食品３８の管理を容易に行うことができる。
【００４２】
さらに、庫内情報記憶部４４のデータは、全て庫内情報管理サーバ５６に転送されるため、庫内情報記憶部４４の容量を小さくすることができる。
【００４３】
（第２の実施形態）
上記実施形態では複数のアンテナをアンテナ切替部２４によって切り替えて使用していたが、これに加えてアンテナ切替部２４に接続されていないアンテナ、すなわち、無線タグ情報を送受信していないアンテナについては、その電源をＯＦＦ状態とする。
【００４４】
これによって、不要なアンテナについては電源がＯＦＦ状態であり、省エネルギーを実現することができる。
【００４５】
（第３の実施形態）
第１の実施形態では無線タグから読み取る食品データは、食品名、製造者等のデータをそのまま食品データとして読み取っていたが、これに代えて、コード化された食品識別情報のみを読み取ってもよい。この場合には、このコード化された食品識別情報に対応する食品情報（例えば、食品名、製造者、製造年月日等）は、食品情報データベース５８から呼出し、庫内情報管理サーバ５６に記憶させる。  このようにする理由は、食品名、製造者等のデータをそのまま用いると一つの食品で数十バイトから数百バイトという膨大な大きさになり、このような食品が多数存在すると、庫内情報記憶部４４に膨大な容量が必要となる。しかし、コード化された食品識別情報のみを読み取る場合であると容量を小さくすることができる。また、必要な情報は食品情報データベース５８から呼出すことにより、その管理は従来と同様に行うことができる。
【００４６】
（第４の実施形態）
第１の実施形態の機能に加えて、携帯端末６０からユーザーが冷蔵庫１０の庫内の食品を管理することもできる。すなわち、携帯端末６０と庫内情報管理サーバ５６を接続し、庫内情報管理サーバ５６に記憶されているデータを呼出して、外出しているユーザーが携帯端末６０からその情報を閲覧することができる。
【００４７】
（第５の実施形態）
次に、図４〜図６に基づいて第５の実施形態について説明する。
【００４８】
本実施形態と第１の実施形態の異なる点は、アンテナを配置する位置と個数にある。
【００４９】
本実施形態では、図４と図５に示すように、冷蔵室用アンテナ２６と、外側アンテナ６２のみが設けられている。冷蔵室用アンテナ２６は、第１の実施形態と同様に冷蔵室１４内部に設けられ、外側アンテナ６２は図５に示すように冷蔵室１４の扉１４ａの外側下部に設けられている。
【００５０】
この第５の実施形態の冷蔵庫１０の動作状態について図６のフローチャートに基づいて説明する。
【００５１】
まず、冷蔵室１４の扉１４ａが開かれているか否かを検知し、開かれている場合には冷蔵室用アンテナ２６を接続し、部屋データに冷蔵室をセットし、無線タグ動作開始状態となる。
【００５２】
冷蔵室１４の扉１４ａが閉じている場合に、引出し式の扉が開いているか否かを検知し、閉じていれば第１の実施形態と同様に、庫内情報記憶部４４のデータを送り初期化する。
【００５３】
引出し式の扉が開いている場合には、外側アンテナ６２に接続し、どの部屋の扉が開かれているか否かを検知し、その開かれている扉に対応する部屋データ（例えば、野菜室）をセットし、無線タグ動作開始状態に進む。
【００５４】
無線タグ動作開始状態の以下の動作は、第１の実施形態と同様である。
【００５５】
本実施形態であると、冷蔵室１４以外の貯蔵室については、食品３８からのデータを全て外側アンテナ６２によって読み込み、どの部屋に収納されたかは扉開閉検出部４６から５４の検知状態によって判別する。
【００５６】
本実施形態であると、引出し式の扉にアンテナを設ける必要がなく、また、アンテナも外側アンテナ６２一個のみであるため、コストを削減し、制御も容易となる。
【００５７】
（第６の実施形態）
第６の実施形態について図７に基づいて説明する。
【００５８】
本実施形態は、第５の実施形態に無線タグ情報の更新機能を追加したものである。すなわち、外側アンテナ６２から食品３８の無線タグ４０に書き込みたい情報である更新情報を送信することにより、食品３８の無線タグ４０の無線タグ情報を更新することができる。
【００５９】
以下、その無線タグ情報を更新する処理を図７に基づいて説明する。
【００６０】
携帯端末６０において、冷蔵庫１０に食品３８の無線タグ情報の更新を行う書き込みモードの設定を指示する。
【００６１】
冷蔵庫１０では、書き込みモードの指示を受信すると、冷蔵室１４の扉が閉まっているか否かを判断し、扉が開いていれば携帯端末６０にその旨を通知し、書き込みモードを終了する。このように扉が開いている場合には書き込みができないように設定されている。
【００６２】
冷蔵室１４の扉が閉じている場合には、書き込み設定モードの準備が完了した旨を携帯端末６０に通知する。
【００６３】
携帯端末６０では書き込み準備が完了していなければ、冷蔵室１４の扉が開状態であることを携帯端末６０に表示し終了する。
【００６４】
書き込み準備が完了していれば、ユーザーが携帯端末６０において更新したいタグデータを書き込み、その書き込んだデータを冷蔵庫１０に転送する。
【００６５】
冷蔵庫１０では携帯端末６０からの更新したいタグデータを受信し、それが更新できる無線タグ情報であるか否かを判断し、更新できない無線タグ情報であれば、タグ不在エラーを携帯端末６０に通知し、終了する。更新できる無線タグ情報であれば、外側アンテナ６２によって食品３８の無線タグ４０に更新する無線タグ情報を送信し、書き込みが完了すれば携帯端末６０に通知し終了する。
【００６６】
携帯端末６０では書き込みが完了していなければタグ不在エラーをユーザーに表示し終了する。一方、書き込みが完了すれば書き込み完了の状態を表示し終了する。
【００６７】
このように、食品３８の無線タグ４０の無線タグ情報を更新することができるため、使用した量や、作った料理等の情報を書き込むことができる。また、この書き込む方法は携帯端末６０を用いて行うため、書き込みモードの設定のために新たな部品等を冷蔵庫の取り付ける必要はなく、また、ユーザーも容易に入力することができる。
【産業上の利用可能性】
【００６８】
本発明は、家庭用の冷蔵庫に好適である。
【図面の簡単な説明】
【００６９】
【図１】本発明の第１の実施形態の冷蔵庫の説明図である。
【図２】同じく冷蔵庫のブロック図である。
【図３】同じく冷蔵庫の動作状態を示すフローチャートである。
【図４】第５の実施形態における冷蔵庫の扉を開いた状態の説明図である。
【図５】同じく扉を閉じた状態の冷蔵庫の説明図である。
【図６】第５の実施形態の冷蔵庫の動作状態を示すフローチャートである。
【図７】第６の実施形態の冷蔵庫の動作状態を示すフローチャートである。
【符号の説明】
【００７０】
１０    冷蔵庫
１２    キャビネット
１４    冷蔵室
１４ａ  扉
１５    野菜室
１５ａ  扉
１６    製氷室
１６ａ  扉
１８    冷凍室
１８ａ  扉
２０    切替室
２０ａ  扉
２２    タグ情報送受信部
２４    アンテナ切替部
２６    冷蔵室用アンテナ
２８    野菜室用アンテナ
３０    製氷室用アンテナ
３２    冷凍室用アンテナ
３４    切替室用アンテナ
３８    食品
４０    無線タグ
４２    主制御部
４４    庫内情報記憶部
４６〜５４  扉開閉検出部
５５    通信部
５６    庫内情報管理サーバ
５８    食品情報データベース
６０    携帯端末
【図１】
2006064293.tif 000003
【図２】
2006064293.tif 000004
【図３】
2006064293.tif 000005
【図４】
2006064293.tif 000006
【図５】
2006064293.tif 000007
【図６】
2006064293.tif 000008
【図７】
2006064293.tif 000009